(57)【特許請求の範囲】
【請求項１】
一方向へ移動させられることによりブレーキケーブルを引っ張ってパーキングブレーキを作動させる制動部材と、
該制動部材の移動方向に沿って多数の鋸歯を備えており、該制動部材および車体側部材の何れか一方の部材に設けられたラチェットと、
前記制動部材および前記車体側部材の他方にポールピンを介して回転可能に配設され、前記ブレーキケーブルの張力に従って前記鋸歯のロック面側に当接させられることにより、該制動部材が前記一方向と反対方向の原位置側へ戻り移動することを阻止するポールと、
該ポールを前記ラチェットと噛み合う回転方向へ付勢するポール付勢スプリングと、
を有し、前記制動部材が前記一方向へ移動させられるブレーキ開始時に、前記ポールが相対的に前記鋸歯を乗り越える毎に、前記ポール付勢スプリングの付勢力に従って該ポールが該鋸歯の非ロック面側に当接させられるパーキングブレーキ装置において、
前記ポールは、前記ラチェットの歯溝内に挿入される三角形状の噛合歯を備えているとともに、前記鋸歯の前記非ロック面に対面する側の第２側端面は該噛合歯の先端部分を残して合成樹脂にて被覆されている一方、
前記鋸歯の前記非ロック面は、該鋸歯の歯先と歯底とを結ぶ直線から後退するようにへこんだ凹面とされている
ことを特徴とするパーキングブレーキ装置。
【請求項２】
前記噛合歯は、前記第２側端面と、前記ロック面に対面する側の第１側端面と、該第１側端面および該第２側端面を接続する円弧状の先端面とを備えているとともに、
前記第２側端面は、前記先端面における該第２側端面側の接線から所定寸法だけ後退した位置に設けられており、前記合成樹脂は、該接線から突き出さないように該第２側端面を被覆している
ことを特徴とする請求項１に記載のパーキングブレーキ装置。
【発明の詳細な説明】
【技術分野】
【０００１】
本発明はパーキングブレーキ装置に係り、特に、ブレーキ開始時にポールとラチェットとの当接によって発生する作動音を低減する技術に関するものである。
【背景技術】
【０００２】
(a) 一方向へ移動させられることによりブレーキケーブルを引っ張ってパーキングブレーキを作動させる制動部材と、(b) その制動部材の移動方向に沿って多数の鋸歯を備えており、その制動部材および車体側部材の何れか一方の部材に設けられたラチェットと、(c) 前記制動部材および前記車体側部材の他方にポールピンを介して回転可能に配設され、前記ブレーキケーブルの張力に従って前記鋸歯のロック面側に当接させられることにより、その制動部材が前記一方向と反対方向の原位置側へ戻り移動することを阻止するポールと、(d) そのポールを前記ラチェットと噛み合う回転方向へ付勢するポール付勢スプリングと、を有し、(e) 前記制動部材が前記一方向へ移動させられるブレーキ開始時に、前記ポールが相対的に前記鋸歯を乗り越える毎に、前記ポール付勢スプリングの付勢力に従ってそのポールがその鋸歯の非ロック面側に当接させられるパーキングブレーキ装置において、(f) 前記ポールは、前記ラチェットの歯溝内に挿入される三角形状の噛合歯を備えているとともに、前記鋸歯の前記非ロック面に対面する側の第２側端面がその噛合歯の先端部分を残して合成樹脂にて被覆されているものが提案されている。特許文献１に記載の足踏み式パーキングブレーキ操作装置はその一例で、ポールおよびラチェットが何れも金属材料にて構成されており、ポールの噛合歯の第２側端面が合成樹脂にて被覆されることにより、制動部材を一方向へ移動させるブレーキ開始時（ペダルを踏込み操作するブレーキ操作時）にポールとラチェットとの当接によって発生する作動音（連続する打撃音）が低減される。
【先行技術文献】
【特許文献】
【０００３】
【特許文献１】実開昭６１−８０１５８号公報
【発明の概要】
【発明が解決しようとする課題】
【０００４】
しかしながら、このようなパーキングブレーキ装置においても、ポールの噛合歯の先端部分が露出しているため、ブレーキ操作時にその先端の金属部分がラチェットの鋸歯の非ロック面に当接して作動音が大きくなる恐れがあった。すなわち、例えば図９に示すラチェット１００のようにロック面１０２ａおよび非ロック面１０２ｂが平坦（図９の側面視において直線）な三角山形状の鋸歯１０２を有する場合、そもそも第２側端面３２ｂを被覆する合成樹脂膜５０の当接部５０ａが鋸歯１０２の非ロック面１０２ｂと略平行であるため、噛合歯３２の先端の金属部分（先端面３２ｃ）が非ロック面１０２ｂに当接して打撃音が発生する。更に、合成樹脂膜５０の当接部５０ａに僅かな摩耗やへたりが生じた場合には、先端面３２ｃが非ロック面１０２ｂにより当接し易くなる。これに対し、図１０に示すように第２側端面３２ｂを鋸歯１０２の非ロック面１０２ｂに対して傾斜させれば、その第２側端面３２ｂを被覆する合成樹脂膜５０の当接部５０ａが鋸歯１０２の歯先部分に当接させられるようになり、先端面３２ｃが非ロック面１０２ｂに当接することが防止される。しかしながら、ブレーキ操作が解除されて、図１１に矢印Ｅで示すように噛合歯３２がラチェット１００の歯溝内に相対的に進入する際に、先端面３２ｃがロック面１０２ａに片当たりの状態で当接させられるとともに、合成樹脂膜５０の当接部５０ａが鋸歯１０２の歯先部分に押圧されるようになり、合成樹脂膜５０の耐久性が損なわれる。
【０００５】
本発明は以上の事情を背景として為されたもので、その目的とするところは、ブレーキ開始時にポールとラチェットとの当接によって発生する作動音が、合成樹脂の耐久性を損なうことなく一層確実に低減されるようにすることにある。
【課題を解決するための手段】
【０００６】
かかる目的を達成するために、第１発明は、(a) 一方向へ移動させられることによりブレーキケーブルを引っ張ってパーキングブレーキを作動させる制動部材と、(b) その制動部材の移動方向に沿って多数の鋸歯を備えており、その制動部材および車体側部材の何れか一方の部材に設けられたラチェットと、(c) 前記制動部材および前記車体側部材の他方にポールピンを介して回転可能に配設され、前記ブレーキケーブルの張力に従って前記鋸歯のロック面側に当接させられることにより、その制動部材が前記一方向と反対方向の原位置側へ戻り移動することを阻止するポールと、(d) そのポールを前記ラチェットと噛み合う回転方向へ付勢するポール付勢スプリングと、を有し、(e) 前記制動部材が前記一方向へ移動させられるブレーキ開始時に、前記ポールが相対的に前記鋸歯を乗り越える毎に、前記ポール付勢スプリングの付勢力に従ってそのポールがその鋸歯の非ロック面側に当接させられるパーキングブレーキ装置において、(f) 前記ポールは、前記ラチェットの歯溝内に挿入される三角形状の噛合歯を備えているとともに、前記鋸歯の前記非ロック面に対面する側の第２側端面はその噛合歯の先端部分を残して合成樹脂にて被覆されている一方、(g) 前記鋸歯の前記非ロック面は、その鋸歯の歯先と歯底とを結ぶ直線から後退するようにへこんだ凹面とされていることを特徴とする。
【０００７】
第２発明は、第１発明のパーキングブレーキ装置において、(a) 前記噛合歯は、前記第２側端面と、前記ロック面に対面する側の第１側端面と、それ等の第１側端面および第２側端面を接続する円弧状の先端面とを備えているとともに、(b) 前記第２側端面は、前記先端面におけるその第２側端面側の接線から所定寸法だけ後退した位置に設けられており、前記合成樹脂は、その接線から突き出さないようにその第２側端面を被覆していることを特徴とする。
【発明の効果】
【０００８】
このようなパーキングブレーキ装置においては、鋸歯の非ロック面が、その鋸歯の歯先と歯底とを結ぶ直線から後退するようにへこんだ凹面とされているため、制動部材を一方向へ移動させるブレーキ開始時にポールが相対的に鋸歯を乗り越えて次の鋸歯の非ロック面側に当接させられる際には、第２側端面を被覆している合成樹脂がその非ロック面の歯先側部分に当接させられ、金属等の素材が露出している噛合歯の先端部分がその非ロック面に当接することが適切に防止される。これにより、ブレーキ開始時にポールがラチェットの鋸歯を乗り越える毎にその鋸歯の非ロック面側に当接する際に生じる作動音（連続する打撃音）が確実に低減される。
【０００９】
また、制動部材の一方向への移動が終了した後にブレーキケーブルの張力に従って制動部材が戻り移動させられると、ポールの噛合歯がラチェットの歯溝内に進入するが、鋸歯の非ロック面の凹面形状を適当に定めることにより、金属等の素材が露出している噛合歯の先端部分がロック面と非ロック面との間の歯底部分に当接させられるとともに、第２側端面を被覆している合成樹脂が非ロック面の歯先側部分から離間させられるようにすることができる。これにより、制動部材のそれ以上の戻り移動が確実に防止されてパーキングブレーキの作動状態が適切に維持されるとともに、第２側端面を被覆する合成樹脂に過大な負荷が作用して耐久性が低下することが防止される。
【００１０】
第２発明では、合成樹脂で被覆される第２側端面が、先端面におけるその第２側端面側の接線から所定寸法だけ後退した位置に設けられており、合成樹脂はその接線から突き出さないようにその第２側端面を被覆しているため、制動部材の一方向への移動が終了した後にブレーキケーブルの張力に従って制動部材が戻り移動させられ、ポールの噛合歯がラチェットの歯溝内に進入する際に、合成樹脂が鋸歯の歯先部分に引っ掛かって剥がれたりめくれ上がったりすることが抑制され、合成樹脂の耐久性が一層向上する。
【図面の簡単な説明】
【００１１】
【図１】本発明の一実施例である足踏み式パーキングブレーキ操作装置の一部を切り欠いて示す概略側面図である。
【図２】図１の実施例において操作ペダルが踏込み操作された際のポールとラチェットとの噛合い部分を拡大して示す側面図である。
【図３】図２における III部分を更に拡大して示す側面図である。
【図４】図３におけるIV−IV断面図である。
【図５】図１の実施例においてポールの噛合歯が合成樹脂で被覆される前の状態を示す側面図である。
【図６】図１の実施例において操作ペダルの踏込み操作が解除されてポールの噛合歯がラチェットに噛み合わされた状態を示す側面図である。
【図７】図１の実施例において操作ペダルの踏込み操作が解除されてポールの噛合歯がラチェットの歯溝内に進入する直前の状態を示す側面図である。
【図８】ポールの噛合歯の第２側端面が円弧状の先端面の接線上に設けられ、その第２側端面を被覆する合成樹脂が接線から突き出すように設けられている場合に、操作ペダルの踏込み操作が解除されてラチェットの歯溝内に進入する直前の状態を示す図で、図７に対応する側面図である。
【図９】ラチェットの鋸歯の非ロック面が直線状の比較例を示す図で、図３に対応する側面図である。
【図１０】図９において、ポールの噛合歯の先端部分が非ロック面に当接しないように噛合歯の角度を設定した場合を示す側面図である。
【図１１】図１０の場合に操作ペダルの踏込み操作が解除されて噛合歯がラチェットと噛み合わされた状態を示す図で、図６に対応する側面図である。
【発明を実施するための形態】
【００１２】
本発明は、制動部材として操作ペダルや操作レバー等の操作部材を有する足踏み式、手動式のパーキングブレーキ操作装置に好適に適用されるが、運転者のスイッチ操作等により電動モータ等の駆動装置を用いて制動部材を移動させる自動パーキングブレーキ装置にも適用され得る。制動部材は、例えば所定の支持軸心まわりに回動可能に配設されて、その支持軸心まわりに回動させられることによりブレーキケーブルを引っ張ってパーキングブレーキを作動させるように構成されるが、一直線方向へ往復移動させられるものでも良い。
【００１３】
制動部材が支持軸心まわりに回動させられる場合、ラチェットはその支持軸心を中心とする円弧形状に沿って設けられ、制動部材が一直線方向へ往復移動させられる場合、ラチェットはその一直線に沿って設けられる。ラチェットの鋸歯は傾斜歯で、ブレーキ開始時の制動部材の移動が許容される方向へ傾斜するように設けられる。すなわち、ラチェットが制動部材に設けられる場合は、その移動方向である一方向と反対方向へ傾斜させられ、ラチェットが車体側部材に設けられる場合は、制動部材の移動方向である一方向へ傾斜させられる。また、鋸歯の傾斜方向側の辺が、ブレーキ作動時にブレーキケーブルの張力に従ってポールと係合させられるロック面で、傾斜方向と反対側の辺が非ロック面となる。ポールおよびラチェットは、例えば金属材料にて構成されるが、硬度が高くてブレーキ開始時の作動音（打撃音）が問題になる他の材料製であっても良い。ブレーキ開始時は、運転者によって操作されるパーキングブレーキ操作装置の場合、操作ペダルを踏込み操作したり操作レバーを引き上げ操作したりするブレーキ操作時である。
【００１４】
車体側部材は、例えば車体に一体的に固設されて制動部材を移動可能に支持するブラケットなどで、車体側部材および制動部材の何れか一方にラチェットが設けられ、他方にポールが配設される。ポールは、捩りコイルスプリングや圧縮コイルスプリング、引張コイルスプリング等のポール付勢スプリングによってラチェットと噛み合う回転方向へ付勢される。制動部材には、原位置へ戻り移動させるために必要に応じて捩りコイルスプリングや引張コイルスプリング等のリターンスプリングが設けられるが、例えば手動式パーキングブレーキ操作装置のように操作レバー（制動部材）が運転者の手動操作で戻り回動させられる場合には必要ないなど、必要に応じて設けられれば良い。
【００１５】
ポールの噛合歯の第２側端面には、噛合歯の先端部分を残して合成樹脂が被覆されているが、ブレーキ操作の解除時等にブレーキケーブルの張力に従って噛合歯がラチェットの鋸歯と噛み合わされる際に、金属等の素材が歯底等に直接当接することにより、パーキングブレーキの作動状態が適切に維持されるようにするためである。この噛合歯の先端部は、例えば第２発明のように円弧形状とすることが望ましい。また、第２側端面が合成樹脂で被覆されることにより、制動部材が一方向へ移動させられるブレーキ開始時にポールが鋸歯を乗り越えて次の鋸歯の非ロック面に当接させられる際の打撃音が低減される。合成樹脂の膜厚や材質は、所定の衝撃吸収性能や耐久性が得られるように適宜定められる。この合成樹脂は、インサート成形等によりポールに一体的に設けられても良いが、接着剤などで後から固着することもできるし、ねじやリベット等の固定手段を用いて取り付けても良い。
【００１６】
鋸歯の非ロック面は、鋸歯の歯先と歯底とを結ぶ直線から後退するようにへこんだ凹面とされ、例えば円弧形状等の滑らかに湾曲した凹曲面が望ましい。鋸歯の歯底および歯先は、それぞれ円弧形状等の滑らかな湾曲形状が望ましく、ポールの噛合歯の先端が円弧形状の場合には、鋸歯の歯底も、その噛合歯に対応する略同じ径寸法の円弧形状とし、噛合歯が安定してその歯底部分に係止されるようにすることが望ましい。
【００１７】
第２発明では、円弧状の先端面における第２側端面側の接線から所定寸法だけ後退した位置に第２側端面が設けられ、その接線から突き出さないように合成樹脂が設けられているが、第１発明の実施に際しては、円弧状の先端面の接線に沿って第２側端面が設けられ、その接線から突き出すように合成樹脂が設けられても良い。
【実施例】
【００１８】
以下、本発明の実施例を、図面を参照しつつ詳細に説明する。
図１は、本発明の一実施例である足踏み式パーキングブレーキ操作装置１０を示す概略図で、車載状態における車両側方（左側）から見た一部を切り欠いた側面図である。この足踏み式パーキングブレーキ操作装置１０は、運転席前方において車体１２に位置固定に配設されるブラケット１４に、支持軸１６の軸心Ｓまわりに回動可能に配設された操作ペダル１８を備えている。操作ペダル１８の下端部にはペダルパッド２０が設けられており、そのペダルパッド２０が運転者によって踏込み操作されると、操作ペダル１８は支持軸１６の右まわりに回動させられ、ブレーキケーブル２２を引っ張って図示しない車輪に配設されたパーキングブレーキを作動させる。この足踏み式パーキングブレーキ操作装置１０がパーキングブレーキ装置で、操作ペダル１８が制動部材に相当し、支持軸１６の右まわりへの回動が一方向への移動である。
【００１９】
操作ペダル１８の上部前方には、軸心Ｓを中心とする円弧形状に沿って多数の鋸歯２４を有するラチェット２６が取り付けられており、軸心Ｓと平行なポールピン２８を介してブラケット１４に回転可能に配設されたポール３０の噛合歯３２と噛み合わされることにより、操作ペダル１８の原位置側への戻り回動が阻止されてパーキングブレーキの作動状態が維持される。ポール３０は、両端部がポール３０およびブラケット１４に掛け止められた捩りコイルスプリング３４によってポールピン２８の右まわり方向へ回動するように付勢されており、噛合歯３２がラチェット２６の鋸歯２４と噛み合わされる。捩りコイルスプリング３４はポール付勢スプリングに相当する。
【００２０】
ラチェット２６の鋸歯２４は、図２および図２の III部分を拡大して示す図３から明らかなように、軸心Ｓまわりにおいて操作ペダル１８の踏込み操作時の回動方向Ａと逆方向へ傾斜する傾斜歯で、捩りコイルスプリング３４によって矢印Ｂ方向へ付勢されているポール３０は、その付勢力に抗して矢印Ｃで示すように揺動しながら鋸歯２４を乗り越えることができる。そして、操作ペダル１８に対する踏込み操作力が解除されると、図６に示すように操作ペダル１８はブレーキケーブル２２の張力に従って矢印Ｄで示す左まわり方向へ戻り回動させられるとともに、三角形状の噛合歯３２は相対的に矢印Ｅで示すようにラチェット２６の歯溝内に進入し、鋸歯２４のロック面２４ａ〜歯底面２４ｃに当接させられて操作ペダル１８のそれ以上の戻り回動が阻止され、これによりパーキングブレーキの作動状態が維持される。ラチェット２６およびポール３０は何れも金属材料製で、ロック面２４ａおよびそのロック面２４ａに対面する噛合歯３２の第１側端面３２ａは、何れも図６に示す側面視において直線状を成す平坦面で互いに略密着させられるとともに、歯底面２４ｃおよび噛合歯３２の先端面３２ｃは何れも側面視において曲率が略等しい円弧形状を成す円筒面で互いに略密着させられ、ロック状態すなわちパーキングブレーキの作動状態が安定して維持される。
【００２１】
ポールピン２８はポール３０に設けられた長穴４０内を挿通させられており、図６に示すようにポール３０の噛合歯３２がラチェット２６の鋸歯２４と噛み合わされると、ブレーキケーブル２２の張力によりポール３０の回転中心が変化するとともに、捩りコイルスプリング３４による付勢方向が逆転する。これにより、再度操作ペダル１８が踏まれてラチェット２６との噛合が解除されると、ポール３０は捩りコイルスプリング３４の付勢力に従ってポールピン２８の左まわりに回動させられ、ラチェット２６との噛合が不能となる。操作ペダル１８は、両端部が操作ペダル１８およびブラケット１４に掛け止められた捩りコイルスプリング４２（図１参照）によって軸心Ｓの左まわり方向へ回動するように付勢されており、この捩りコイルスプリング４２の付勢力およびブレーキケーブル２２の張力に従って図１に示す原位置まで戻り回動させられる。操作ペダル１８の原位置は、ブラケット１４に取り付けられたストッパ４４により規定されるとともに、操作ペダル１８が原位置まで戻り回動させられる際に、戻し係合部４６がポール３０と係合させられることにより、そのポール３０がポールピン２８の右まわりに回動させられ、回転中心が図１、図２に示す初期位置へ復帰させられるとともに、捩りコイルスプリング３４による付勢方向が右まわり方向に戻される。上記捩りコイルスプリング４２はリターンスプリングに相当する。なお、ポール３０をポールピン２８の左まわりに回動させてラチェット２６との噛合を解除する等の他のレリース機構を採用することもできる。
【００２２】
ここで、パーキングブレーキを作動させるために操作ペダル１８が踏込み操作されると、ポール３０は図３に矢印Ｃで示すように揺動しながらラチェット２６の鋸歯２４を連続的に乗り越えるが、図３に示すように捩りコイルスプリング３４の付勢力に従って次の鋸歯２４の非ロック面２４ｂ側に当接させられる。このため、多数の鋸歯２４を乗り越える毎に、ポール３０の噛合歯３２がそれ等の鋸歯２４に当接する作動音（連続する打撃音）が発生する。その場合に、本実施例では、三角形状の噛合歯３２の一対の第１側端面３２ａおよび第２側端面３２ｂのうち、鋸歯２４の非ロック面２４ｂに対面する側の第２側端面３２ｂには合成樹脂膜５０が設けられており、この合成樹脂膜５０が鋸歯２４に当接させられることにより、衝撃が吸収されて作動音が低減される。合成樹脂膜５０は、図３におけるIV−IV断面を示す図４から明らかなように、噛合歯３２の第２側端面３２ｂ側を回曲するように断面Ｕ字形状を成しており、第２側端面３２ｂ上に位置する厚肉の当接部５０ａ、および噛合歯３２の側面上に位置する一対の側壁部５０ｂを備えている。この合成樹脂膜５０は、例えばインサート成形等により成形と同時に噛合歯３２に一体的に固設されるが、必要に応じて接着剤で接着したりリベット等の固定手段で固定しても良い。
【００２３】
上記合成樹脂膜５０は、噛合歯３２の前記第１側端面３２ａおよび先端面３２ｃを除く部分に設けられており、図６に示すロック状態では、合成樹脂膜５０から露出しているそれ等の金属製の第１側端面３２ａ、先端面３２ｃがラチェット２６の鋸歯２４のロック面２４ａ、歯底面２４ｃに直接当接させられる。これにより、パーキングブレーキが緩むことがない安定したロック状態が得られる。
【００２４】
また、噛合歯３２の第２側端面３２ｂは、図５に示すように、先端面３２ｃにおける第１側端面３２ｂ側の接線Ｌ１から所定寸法ｔだけ後退した位置に設けられている。接線Ｌ１は、第１側端面３２ｂと平行な接線である。そして、合成樹脂膜５０は、この接線Ｌ１から突き出さないように設けられており、本実施例では、合成樹脂膜５０の当接部５０ａの肉厚が後退寸法ｔと略一致するように、すなわち当接部５０ａの表面が接線Ｌ１と略一致するように設けられている。これにより、例えば図７に示すように噛合歯３２の先端面３２ｃが鋸歯２４の歯先面２４ｄに当接している状態でブレーキ操作が解除され、操作ペダル１８がブレーキケーブル２２の張力に従って矢印Ｄで示す左まわり方向へ戻り回動させられるとともに、噛合歯３２が相対的に矢印Ｅで示すようにラチェット２６の歯溝内に進入する際に、合成樹脂膜５０が鋸歯２４の歯先部分に引っ掛かって剥がれたりめくれ上がったりすることが抑制される。すなわち、図８に示す噛合歯６０のように、上記接線Ｌ１と一致する位置に第２側端面６０ｂが設けられ、その第２側端面６０ｂを被覆するように合成樹脂膜６２が設けられると、噛合歯６０の先端面６０ｃに対して合成樹脂膜６２の膜厚分だけ出っ張るため、噛合歯６０が相対的に矢印Ｅで示すようにラチェット２６の歯溝内に進入する際に、その合成樹脂膜６２が鋸歯２４の歯先部分に引っ掛かり易くなるのである。また、本実施例では鋸歯２４の歯先面２４ｄが側面視において円弧形状を成す円筒面とされているため、合成樹脂膜５０の引っ掛かりが一層効果的に抑制される。なお、図８のように合成樹脂膜６２が先端面６０ｃの接線Ｌ１（第２側端面６０ｂと略同じ）から出っ張る場合も本発明の一実施態様であり、例えば合成樹脂膜６２の膜厚を薄くするなどして出張りを小さくすれば引っ掛かりが抑制される。
【００２５】
一方、上記のように噛合歯３２の第２側端面３２ｂを合成樹脂膜５０で被覆しても、ロック状態を安定に維持するために先端面３２ｃが露出しているため、例えば図９に示すラチェット１００のようにロック面１０２ａおよび非ロック面１０２ｂが平坦（図９の側面視において直線）な三角山形状の鋸歯１０２を有する場合には、ブレーキ操作時にその先端の金属部分がラチェット１００の鋸歯１０２の非ロック面１０２ｂに当接して作動音が大きくなる恐れがある。すなわち、合成樹脂膜５０で被覆される第２側端面３２ｂが鋸歯１０２の非ロック面１０２ｂと略平行であると、噛合歯３２の先端の金属部分（先端面３２ｃ）が非ロック面１０２ｂに当接して打撃音が発生し、合成樹脂膜５０の当接部５０ａに僅かな摩耗やへたりが生じた場合には、先端面３２ｃが非ロック面１０２ｂにより当接し易くなる。図１０に示すように第２側端面３２ｂを鋸歯１０２の非ロック面１０２ｂに対して傾斜させれば、その第２側端面３２ｂを被覆する合成樹脂膜５０の当接部５０ａが鋸歯１０２の歯先部分に当接させられるようになり、先端面３２ｃが非ロック面１０２ｂに当接することが防止される。しかしながら、ブレーキ操作が解除されて、図１１に示すように噛合歯３２がラチェット１００の歯溝内に進入する際に、先端面３２ｃがロック面１０２ａに片当たりの状態で当接させられるとともに、合成樹脂膜５０の当接部５０ａが鋸歯１０２の歯先部分に押圧されるようになり、合成樹脂膜５０の耐久性が損なわれる。
【００２６】
これに対し、本実施例では図３から明らかなように鋸歯２４の非ロック面２４ｂが、鋸歯２４の歯底面２４ｃと歯先面２４ｄとを結ぶ直線Ｌ２から後退するように滑らかな円弧状にへこんだ凹曲面とされているため、ブレーキ操作時に合成樹脂膜５０から露出する先端面３２ｃが鋸歯２４の非ロック面２４ｂに当接することが適切に防止される。また、この非ロック面２４の凹曲面を適当に定めることにより、ブレーキ操作が解除されて図６に示すように噛合歯３２がラチェット２６の歯溝内に進入する際に、先端面３２ｃが鋸歯２４の歯底面２４ｃに当接させられるとともに、第２側端面３２ｂを被覆している合成樹脂膜５０の当接部５０ａが歯先面２４ｄから離間するように容易に設定できる。これにより、噛合歯３２の先端面３２ｃと歯底面２４ｃとの当接による安定したロック状態を確保できるとともに、合成樹脂膜５０の耐久性を損なうことなく、ブレーキ操作時の作動音を適切に低減できる。
【００２７】
このように、本実施例の足踏み式パーキングブレーキ操作装置１０においては、鋸歯２４の非ロック面２４ｂが、その鋸歯２４の歯先面２４ｄと歯底面２４ｃとを結ぶ直線Ｌ２から後退するようにへこんだ凹曲面とされているため、操作ペダル１８を踏み込むブレーキ操作時にポール３０が相対的に鋸歯２４を乗り越えて次の鋸歯２４の非ロック面２４ｂ側に当接させられる際には、図３に示すように第２側端面３２ｂを被覆している合成樹脂膜５０の当接部５０ａがその非ロック面２４ｂ側の歯先部分（歯先面２４ｄ）に当接させられ、合成樹脂膜５０から露出している金属製の噛合歯３２の先端面３２ｃがその非ロック面２４ｂに当接することが適切に防止される。これにより、ブレーキ操作時にポール３０がラチェット２６の鋸歯２４を乗り越える毎にその鋸歯２４の非ロック面２４ｂ側に当接する際に生じる作動音（連続する打撃音）が確実に低減される。
【００２８】
また、操作ペダル１８の踏込み操作が終了して踏込み操作力が解除されると、図６に矢印Ｄで示すようにその操作ペダル１８はブレーキケーブル２２の張力に従って戻り移動させられ、ポール３０の噛合歯３２がラチェット２６の歯溝内に進入するが、鋸歯２４の非ロック面２４ｂの凹面形状を適当に定めることにより、合成樹脂膜５０から露出している金属製の先端面３２ｃが鋸歯２４の歯底面２４ｃに当接させられるとともに、第２側端面３２ｂを被覆している合成樹脂膜５０の当接部５０ａが歯先面２４ｄから離間させられるようにすることができる。これにより、操作ペダル１８の戻り回動が確実に防止されてパーキングブレーキの作動状態が適切に維持されるとともに、第２側端面３２ｂを被覆する合成樹脂５０の当接部５０ａに過大な負荷が作用して耐久性が低下することが防止される。
【００２９】
また、本実施例では、合成樹脂膜５０によって被覆される第２側端面３２ｂが、円弧状の先端面３２ｃの第２側端面３２ｂ側の接線Ｌ１から所定の後退寸法ｔだけ後退した位置に設けられており、合成樹脂膜５０はその接線Ｌ１から突き出さないようにその第２側端面３２ｂを被覆している。このため、操作ペダル１８の踏込み操作が解除されることにより、ブレーキケーブル２２の張力に従って操作ペダル１８が戻り回動させられ、ポール３０の噛合歯３２がラチェット２６の歯溝内に進入する際に、合成樹脂膜５０の当接部５０ａが鋸歯２４の歯先部分（歯先面２４ｄ）に引っ掛かって剥がれたりめくれ上がったりすることが抑制され、合成樹脂膜５０の耐久性が一層向上する。
【００３０】
以上、本発明の実施例を図面に基づいて詳細に説明したが、これはあくまでも一実施形態であり、本発明は当業者の知識に基づいて種々の変更，改良を加えた態様で実施することができる。
【符号の説明】
【００３１】
１０：足踏み式パーキングブレーキ操作装置（パーキングブレーキ装置）    １４：ブラケット（車体側部材）    １８：操作ペダル（制動部材）    ２２：ブレーキケーブル    ２４：鋸歯    ２４ａ：ロック面    ２４ｂ：非ロック面    ２４ｃ：歯底面（歯底）    ２４ｄ：歯先面（歯先）    ２６：ラチェット    ２８：ポールピン    ３０：ポール    ３２、６０：噛合歯    ３２ａ：第１側端面    ３２ｂ、６０ｂ：第２側端面    ３２ｃ、６０ｃ：先端面    ３４：捩りコイルスプリング（ポール付勢スプリング）    ５０、６２：合成樹脂膜（合成樹脂）    Ｌ１：接線    Ｌ２：鋸歯の歯先と歯底とを結ぶ直線    ｔ：第２側端面の後退寸法
【図１】
0005667585.tif 000002
【図２】
0005667585.tif 000003
【図３】
0005667585.tif 000004
【図４】
0005667585.tif 000005
【図５】
0005667585.tif 000006
【図６】
0005667585.tif 000007
【図７】
0005667585.tif 000008
【図８】
0005667585.tif 000009
【図９】
0005667585.tif 000010
【図１０】
0005667585.tif 000011
【図１１】
0005667585.tif 000012